(57)【要約】【課題】エアフィルタを透過する光量に基づいてエアフィルタが装着されているか否かを判定する構成を採用することなく、エアフィルタが装着されているか否かを判定することができる投写型映像表示装置を提供する。【解決手段】投写型映像表示装置であるプロジェクタは、外部から内部に空気を通すための吸気口１２が形成された筐体１０と、吸気口１２に対して着脱可能に設けられるエアフィルタ３１とを備える。プロジェクタは、筐体１０の内部に吸入された空気の流量を検出するための風量センサ４０と、吸気口１２からエアフィルタ３１が取り外されたときの風量センサ４０の出力を、フィルタ非装着時風量として記憶する記憶部と、風量センサ４０の出力と、記憶部に記憶されているフィルタ非装着時風量との比較結果に基づいて、エアフィルタ３１が装着されているか否かを判定する制御部とを備える。【選択図】図２
2013127572.tif 000002
【特許請求の範囲】
【請求項１】
外部から内部に空気を通すための吸気口が形成された筐体と、前記吸気口に対して着脱可能に設けられるエアフィルタと、前記吸気口に対して装着されている前記エアフィルタを通して前記筐体の外部から内部に空気を吸入するファンとを備える投写型映像表示装置において、
前記筐体の内部に吸入された空気の流量を検出するための風量センサと、
前記吸気口から前記エアフィルタが取り外されたときの前記風量センサの出力を、フィルタ非装着時風量として記憶する記憶部と、
前記風量センサの出力と、前記記憶部に記憶されている前記フィルタ非装着時風量との比較結果に基づいて、前記吸気口に対して前記エアフィルタが装着されているか否かを判定する判定部とを備える
ことを特徴とする投写型映像表示装置。
【請求項２】
前記判定部は、前記ファンの回転数の情報を取得し、前記風量センサの出力と、前記ファンの回転数に応じて変化する前記フィルタ非装着時風量との比較結果に基づいて、前記吸気口に対して前記エアフィルタが装着されているか否かを判定する
ことを特徴とする請求項１に記載の投写型映像表示装置。
【請求項３】
前記吸気口に対して前記エアフィルタが装着されているか否かを判定する際に、前記ファンの回転数を上げる制御部を備える
ことを特徴とする請求項２に記載の投写型映像表示装置。
【請求項４】
映像の表示開始時において、前記制御部が前記ファンの回転数を上げて、前記判定部が前記吸気口に対して前記エアフィルタが装着されているか否かを判定し、
前記判定部が前記吸気口に対して前記エアフィルタが装着されているか否かを判定した後に、前記制御部が前記ファンの回転数を下げる
ことを特徴とする請求項３に記載の投写型映像表示装置。
【請求項５】
前記制御部は、前記風量センサの出力に基づいて、前記ファンの回転数を上げる
ことを特徴とする請求項３に記載の投写型映像表示装置。
【請求項６】
前記エアフィルタが装着されていないときに報知動作を行うフィルタ非装着報知部を備え、
前記フィルタ非装着報知部は、前記吸気口に対して前記エアフィルタが装着されていないと前記判定部が判定したときに報知動作を行う
ことを特徴とする請求項１〜５のいずれか一項に記載の投写型映像表示装置。
【請求項７】
前記記憶部は、前記エアフィルタに所定量の塵埃が付着したときの前記風量センサの出力を、フィルタ目詰まり時風量として記憶し、
前記判定部は、前記風量センサの出力と、前記記憶部に記憶されている前記フィルタ目詰まり時風量との比較結果に基づいて、前記エアフィルタに付着している塵埃の量を判定する
ことを特徴とする請求項１〜６のいずれか一項に記載の投写型映像表示装置。
【請求項８】
前記エアフィルタに目詰まりが生じたときに報知動作を行うフィルタ目詰まり報知部を備え、
前記フィルタ目詰まり報知部は、前記エアフィルタに付着している塵埃の量が前記所定量以上であると前記判定部が判定したときに報知動作を行う
ことを特徴とする請求項７に記載の投写型映像表示装置。
【発明の詳細な説明】
【技術分野】
【０００１】
本発明は、吸気口に対してエアフィルタが装着されているか否かを判定する投写型映像表示装置に関する。
【背景技術】
【０００２】
一般的に、液晶プロジェクタ等の投写型映像表示装置は、外部から内部に空気を通すための吸気口が形成された筐体と、吸気口に対して着脱可能に設けられるエアフィルタと、吸気口に対して装着されているエアフィルタを通して筐体の外部から内部に空気を吸入するファンとを備える。
【０００３】
特許文献１には、吸気口に対してエアフィルタが装着されているか否かを判定する投写型映像表示装置として、エアフィルタの一部を透過した光量に基づいてエアフィルタの有無を検出する映像表示装置が開示されている。
【先行技術文献】
【特許文献】
【０００４】
【特許文献１】特開２００５−１７５４７号公報
【発明の概要】
【発明が解決しようとする課題】
【０００５】
しかし、特許文献１の映像表示装置においては、エアフィルタの一部を透過する光量に基づいてエアフィルタが装着されているか否かを判定する構成が用いられているため、種々の不都合が生じる。例えば、特許文献１の映像表示装置においては、エアフィルタを挟む位置に発光手段と受光手段とを設ける必要がある。このため、発光手段と受光手段とを設けるスペースを確保するために、筐体の設計自由度が低下するという不都合がある。また、エアフィルタの一部を透過する光量に基づいてエアフィルタに付着している塵埃の量を判定する構成においては、エアフィルタの全体に付着している塵埃の総量を判定することが困難であるという不都合がある。
【０００６】
本発明は、上記課題を解決するため、エアフィルタを透過する光量に基づいてエアフィルタが装着されているか否かを判定する構成を採用することなく、エアフィルタが装着されているか否かを判定することができる投写型映像表示装置を提供することを目的とする。
【課題を解決するための手段】
【０００７】
上記目的を達成するため、請求項１に記載の発明は、外部から内部に空気を通すための吸気口が形成された筐体と、前記吸気口に対して着脱可能に設けられるエアフィルタと、前記吸気口に対して装着されている前記エアフィルタを通して前記筐体の外部から内部に空気を吸入するファンとを備える投写型映像表示装置において、前記筐体の内部に吸入された空気の流量を検出するための風量センサと、前記吸気口から前記エアフィルタが取り外されたときの前記風量センサの出力を、フィルタ非装着時風量として記憶する記憶部と、前記風量センサの出力と、前記記憶部に記憶されている前記フィルタ非装着時風量との比較結果に基づいて、前記吸気口に対して前記エアフィルタが装着されているか否かを判定する判定部とを備えることを特徴とする。なお、風量センサとは、空気の流量を検出するセンサであって、所定時間当たりの空気の流量を検出する風速センサも含む。
【０００８】
吸気口に対してエアフィルタが装着されていない場合には、吸気口に対してエアフィルタが装着されている場合に比べて、筐体の内部に吸入された空気の流量は大きくなる。よって、風量センサの出力は、吸気口に対してエアフィルタが装着されているか否かを反映する。
【０００９】
上記発明によれば、投写型映像表示装置は、風量センサの出力と、記憶部に記憶されているフィルタ非装着時風量との比較結果に基づいて、吸気口に対してエアフィルタが装着されているか否かを判定する判定部を備える。このため、吸気口からエアフィルタが取り外されたときの風量センサの出力を、フィルタ非装着時風量として記憶部に予め記憶させておくことにより、風量センサの出力に基づいてエアフィルタが装着されているか否かを判定することができる。よって、エアフィルタを透過する光量に基づいてエアフィルタが装着されているか否かを判定する構成を採用することなく、風量センサの出力に基づいてエアフィルタが装着されているか否かを判定することができる。
【００１０】
請求項２に記載の発明は、請求項１に記載の投写型映像表示装置において、前記判定部は、前記ファンの回転数の情報を取得し、前記風量センサの出力と、前記ファンの回転数に応じて変化する前記フィルタ非装着時風量との比較結果に基づいて、前記吸気口に対して前記エアフィルタが装着されているか否かを判定することを特徴とする。なお、「ファンの回転数」とは、所定時間当たりの回転数であって、ファンの回転速度である。
【００１１】
上記発明によれば、投写型映像表示装置は、風量センサの出力と、ファンの回転数に応じて変化するフィルタ非装着時風量との比較結果に基づいて、吸気口に対してエアフィルタが装着されているか否かを判定する判定部を備える。このため、フィルタ非装着時風量を一定として風量センサの出力とフィルタ非装着時風量とを比較する場合に比べて、エアフィルタが装着されているか否かを精度良く判定することができる。
【００１２】
請求項３に記載の発明は、請求項２に記載の投写型映像表示装置において、前記吸気口に対して前記エアフィルタが装着されているか否かを判定する際に、前記ファンの回転数を上げる制御部を備えることを特徴とする。
【００１３】
ファンが高回転であるときは、ファンが低回転であるときに比べて、エアフィルタが装着されているか否かが風量センサの出力に反映され易くなる。
上記発明によれば、投写型映像表示装置は、吸気口に対してエアフィルタが装着されているか否かを判定する際に、ファンの回転数を上げる制御部を備える。このため、風量センサの出力に基づいてエアフィルタが装着されているか否かを判定するときにファンが高回転となるため、ファンの回転数が一定である場合に比べて、エアフィルタが装着されているか否かを精度良く判定することができる。
【００１４】
請求項４に記載の発明は、請求項３に記載の投写型映像表示装置において、映像の表示開始時において、前記制御部が前記ファンの回転数を上げて、前記判定部が前記吸気口に対して前記エアフィルタが装着されているか否かを判定し、前記判定部が前記吸気口に対して前記エアフィルタが装着されているか否かを判定した後に、前記制御部が前記ファンの回転数を下げることを特徴とする。
【００１５】
上記発明によれば、映像の表示開始時においてはファンが高回転となるため、ファンの回転数が一定である場合に比べて、エアフィルタが装着されているか否かを精度良く判定することができる。また、エアフィルタが装着されているか否かが判定された後にはファンが低回転となるため、映像の表示開始後においてファンの回転数が一定である場合に比べて、ファンの騒音を低減することが可能である。
【００１６】
請求項５に記載の発明は、請求項３に記載の投写型映像表示装置において、前記制御部は、前記風量センサの出力に基づいて、前記ファンの回転数を上げることを特徴とする。
風量センサの出力に誤差が生じるときには、エアフィルタが装着されているか否かを精度良く判定できない。エアフィルタが装着されているか否かを精度良く判定するためには、ファンが高回転であることが好ましい。一方、ファンの騒音を低減するためには、ファンが低回転であることが好ましい。
【００１７】
上記発明によれば、制御部が、風量センサの出力に基づいてエアフィルタが装着されているか否かを精度良く判定できないときには、ファンの回転数を上げて、エアフィルタが装着されているか否かを精度良く判定することができる。また、エアフィルタが装着されているか否かを判定する際に必ずファンの回転数を上げる場合と比べて、ファンの騒音を低減することができる。
【００１８】
請求項６に記載の発明は、請求項１〜５のいずれか一項に記載の投写型映像表示装置において、前記エアフィルタが装着されていないときに報知動作を行うフィルタ非装着報知部を備え、前記フィルタ非装着報知部は、前記吸気口に対して前記エアフィルタが装着されていないと前記判定部が判定したときに報知動作を行うことを特徴とする。
【００１９】
上記発明によれば、投写型映像表示装置は、吸気口に対してエアフィルタが装着されていると判定部が判定したときに報知動作を行うフィルタ非装着報知部を備える。このため、吸気口に対してエアフィルタが装着されていないと判定部が判定したことを、フィルタ非装着報知部の報知動作により、投写型映像表示装置のユーザーが把握することができる。
【００２０】
請求項７に記載の発明は、請求項１〜６のいずれか一項に記載の投写型映像表示装置において、前記記憶部は、前記エアフィルタに所定量の塵埃が付着したときの前記風量センサの出力を、フィルタ目詰まり時風量として記憶し、前記判定部は、前記風量センサの出力と、前記記憶部に記憶されている前記フィルタ目詰まり時風量との比較結果に基づいて、前記エアフィルタに付着している塵埃の量を判定することを特徴とする。
【００２１】
エアフィルタに付着している塵埃の量が多くなるにつれて、筐体の内部に吸入された空気の流量は小さくなる。よって、風量センサの出力は、エアフィルタに付着している塵埃の量を反映する。
【００２２】
上記発明によれば、投写型映像表示装置は、風量センサの出力と、記憶部に記憶されているフィルタ目詰まり時風量との比較結果に基づいて、エアフィルタに付着している塵埃の量を判定する判定部を備える。このため、エアフィルタに所定量の塵埃が付着したときの風量センサの出力を、フィルタ目詰まり時風量として記憶部に予め記憶させておくことにより、風量センサの出力に基づいてエアフィルタに付着している塵埃の量を判定することができる。よって、エアフィルタが装着されているか否かを判定するために利用する風量センサを、エアフィルタの目詰まりの度合いを判定するために利用することができる。
【００２３】
請求項８に記載の発明は、請求項７に記載の投写型映像表示装置において、前記エアフィルタに目詰まりが生じたときに報知動作を行うフィルタ目詰まり報知部を備え、前記フィルタ目詰まり報知部は、前記エアフィルタに付着している塵埃の量が前記所定量以上であると前記判定部が判定したときに報知動作を行うことを特徴とする。
【００２４】
上記発明によれば、投写型映像表示装置は、エアフィルタに付着している塵埃の量が所定量以上であると判定部が判定したときに報知動作を行うフィルタ目詰まり報知部を備える。このため、エアフィルタに付着している塵埃の量が所定量以上であると判定部が判定したことを、フィルタ目詰まり報知部の報知動作により、投写型映像表示装置のユーザーが把握することができる。
【発明の効果】
【００２５】
本発明によれば、エアフィルタを透過する光量に基づいてエアフィルタが装着されているか否かを判定する構成を採用することなく、風量センサの出力に基づいてエアフィルタが装着されているか否かを判定することができる。
【図面の簡単な説明】
【００２６】
【図１】本発明の第１実施形態に係る投写型映像表示装置の外観を示す斜視図。
【図２】同実施形態の投写型映像表示装置について、（ａ）は内部構成の一部を模式的に示す断面図、（ｂ）は風量センサ近傍の拡大図。
【図３】同実施形態の投写型映像表示装置が備えるフィルタ異常検知システムの構成を模式的に示すブロック図。
【図４】同実施形態に係る投写型映像表示装置について、記憶部に記憶されている風量センサの出力に係る情報を示すグラフ。
【図５】同実施形態に係る投写型映像表示装置が実行するフィルタ異常検知処理の流れを示すフローチャート。
【図６】本発明の第２実施形態に係る投写型映像表示装置が実行するフィルタ異常検知処理の流れを示すフローチャート。
【図７】本発明の第３実施形態に係る投写型映像表示装置について、記憶部に記憶されている風量センサの出力に係る情報を示すグラフ。
【図８】同実施形態に係る投写型映像表示装置が実行するフィルタ異常検知処理の流れを示すフローチャート。
【発明を実施するための形態】
【００２７】
（第１実施形態）
本発明の第１実施形態について図１〜５を参照しながら説明する。なお、図２中における一点鎖線の矢印は空気の流れを示している。
【００２８】
図１に示すように、本実施形態の投写型映像表示装置は、外部機器（不図示）から入力される映像信号に基づいて映像を表示するビデオプロジェクタ１（以下、「プロジェクタ１」）である。
【００２９】
プロジェクタ１は、映像表示用の光学部品及び電子部品等を収納する筐体１０を備えている。プロジェクタ１は、筐体１０に形成された開口１１から映像の光を投射レンズ２１で投射することにより、スクリーンまたは壁等の平面に映像を表示する。
【００３０】
筐体１０には、プロジェクタ１の外部から内部に空気を吸入するための吸気口１２と、プロジェクタ１の内部から外部に空気を排出するための排気口（不図示）とが形成されている。吸気口１２には、大きな異物がプロジェクタ１の内部に入ることを防止する格子部材１３が装着されている。格子部材１３は、吸気口１２に対して着脱可能に構成されている。
【００３１】
プロジェクタ１は、空冷により冷却される冷却対象部品として、例えば放電ランプ（図示略）等の光学部品を備えている。冷却対象部品には、プロジェクタ１の内部に吸入された空気が冷却風として送風される。
【００３２】
また、筐体１０には、報知動作を行う報知部２２が設けられている。報知部２２は、発光する発光部であって、例えばＬＥＤ（Light Emitting Diode）により構成されている。報知部２２は、吸気口１２を通してプロジェクタ１に吸入される空気の流量が過剰であること、及び吸気口１２を通してプロジェクタ１に吸入される空気の流量が低下したことを、発光することによって報知する。即ち、報知部２２は、エアフィルタ３１が装着されていないときに報知動作を行うフィルタ非装着報知部と、エアフィルタ３１に目詰まりが生じたときに報知動作を行うフィルタ目詰まり報知部とを兼ねる。
【００３３】
図２を参照してプロジェクタ１の内部構成について説明する。
プロジェクタ１の内部には、空気中の塵埃を捕捉するエアフィルタ３１と、冷却対象部品へ流れる冷却風の流路を形成するダクト３２と、冷却対象部品に冷却風を送風する冷却ファン３３とが設けられている。
【００３４】
エアフィルタ３１は、吸気口１２を覆うように設けられている。ダクト３２は、プロジェクタ１の内部空間、即ち筐体１０の内部の空間を仕切る。ダクト３２は、プロジェクタ１の内部に吸い込まれた空気を冷却ファン３３に導く。冷却ファン３３は、吸気口１２を通してプロジェクタ１の外部から内部に空気を吸い込む。
【００３５】
ダクト３２によって仕切られる空間のうち、ダクト３２の外部空間を第１空間Ｓ１とし、ダクト３２の内部空間を第２空間Ｓ２とする。ダクト３２には、第１空間Ｓ１と第２空間Ｓ２とを連通する貫通孔３２Ａが形成されている。また、ダクト３２には、貫通孔３２Ａにおける風量を検出する風量センサ４０が取り付けられている。
【００３６】
風量センサ４０は、ダクト３２の外部、即ち第１空間Ｓ１に設けられている。風量センサ４０は、貫通孔３２Ａの近傍に設けられたセンサ取付部３２Ｂに密着させられるとともに、ねじ（図示略）を用いてダクト３２に固定されている。
【００３７】
風量センサ４０は、第１空間Ｓ１から空気が流入する流入口４１と、この流入口４１から風量センサ４０に流入した空気が流出する流出口４２とを有する。風量センサ４０は、風量センサ４０に流入した空気、即ち流入口４１に流入した空気の流量を検出する。流出口４２から流出した空気は貫通孔３２Ａに流入する。即ち、風量センサ４０は、風量センサ４０に流入した空気の流量を検出することにより、貫通孔３２Ａにおける風量を検出する。
【００３８】
風量センサ４０の内部には、温度センサを含むフローセンサ素子（図示略）が設けられている。フローセンサ素子は、基台にヒータ及びサーモパイルを挟む絶縁薄膜が設けられている微細な機械構造を含む集積回路である。サーモパイルは、熱を発するヒータの周囲に設けられている。フローセンサ素子の絶縁薄膜の近傍を空気が流れることにより変化する温度分布に応じて、サーモパイルが出力する電圧が変化する。風量センサ４０は、サーモパイルが出力する電圧を、貫通孔３２Ａにおける風量として検出する。そして、風量センサ４０は、検出した風量を電気信号として出力する。
【００３９】
冷却ファン３３が駆動したときの空気の流れを説明する。
冷却ファン３３が駆動することにより、第２空間Ｓ２は、筐体１０の外部よりも圧力が下がるため、エアフィルタ３１を通してプロジェクタ１の外部から第２空間Ｓ２に空気が吸い込まれる。ダクト３２の内部である第２空間Ｓ２に吸い込まれた空気は、冷却ファン３３から冷却風として冷却対象部品に送風される。
【００４０】
また、冷却ファン３３が駆動することにより、第２空間Ｓ２は、第１空間Ｓ１よりも圧力が下がるため、風量センサ４０及び貫通孔３２Ａを通して第１空間Ｓ１から第２空間Ｓ２に空気が吸い込まれる。
【００４１】
図３を参照して、風量センサ４０を用いたプロジェクタ１のシステム構成を説明する。
プロジェクタ１は、報知部２２及び冷却ファン３３を制御する制御部５１と、制御部５１が実行するプログラム等の情報を記憶する記憶部５２とを備えている。
【００４２】
制御部５１は演算等を行う集積回路により構成されている。制御部５１には、風量センサ４０の出力が入力される。制御部５１は、記憶部５２に記憶されているプログラムに基づいてフィルタ異常検知処理を実行する。フィルタ異常検知処理において、制御部５１は、風量センサ４０の出力に基づいて、筐体１０の外部から内部に吸入された空気の流量、即ちダクト３２内への吸気量を取得する。また、フィルタ異常検知処理において、制御部５１は、取得した情報等に基づいて演算を行うことにより各種の判定を行う判定部として機能する。
【００４３】
記憶部５２は読み書き可能な不揮発性のメモリにより構成されている。記憶部５２には、エアフィルタ３１が取り外されたときの風量センサ４０の出力と、エアフィルタ３１に所定量の塵埃が付着したときの風量センサ４０の出力とが記憶されている。
【００４４】
エアフィルタ３１が取り外されたときの風量センサ４０の出力について説明する。
吸気口１２に対してエアフィルタ３１が装着されていない場合には、吸気口１２に対してエアフィルタ３１が装着されている場合に比べて、筐体１０の外部から内部に吸入された空気の流量は大きくなる。筐体１０の外部から内部に流入する空気の流量が大きくなるにつれて、風量センサ４０及び貫通孔３２Ａを通して第１空間Ｓ１から第２空間Ｓ２に吸い込まれる空気の流量は小さくなる。従って、風量センサ４０の出力は、吸気口１２に対してエアフィルタ３１が装着されているか否かを反映する。
【００４５】
図４の第１初期出力Ａ１、第２初期出力Ａ２、第３初期出力Ａ３、第４初期出力Ａ４、及び第５初期出力Ａ５は、プロジェクタ１にエアフィルタ３１が取り付けられているとき、かつ、エアフィルタ３１に目詰まりが生じていないときの風量センサ４０の出力を示している。また、図４の第１下限出力Ｂ１、第２下限出力Ｂ２、第３下限出力Ｂ３、第４下限出力Ｂ４、及び第５下限出力Ｂ５は、エアフィルタ３１が取り外されたときの風量センサ４０の出力を示している。第１初期出力Ａ１及び第１下限出力Ｂ１は、冷却ファン３３の回転数が第１回転数Ｒ１であるときの風量センサ４０の出力を示す。また、第２初期出力Ａ２及び第２下限出力Ｂ２は、冷却ファン３３の回転数が第２回転数Ｒ２であるときの風量センサ４０の出力を示す。また、第３初期出力Ａ３及び第３下限出力Ｂ３は、冷却ファン３３の回転数が第３回転数Ｒ３であるときの風量センサ４０の出力を示す。また、第４初期出力Ａ４及び第４下限出力Ｂ４は、冷却ファン３３の回転数が第４回転数Ｒ４であるときの風量センサ４０の出力を示す。また、第５初期出力Ａ５及び第５下限出力Ｂ５は、冷却ファン３３の回転数が第５回転数Ｒ５であるときの風量センサ４０の出力を示す。
【００４６】
従って、制御部５１は、風量センサ４０の出力が下限出力Ｂ１〜Ｂ５以下であれば、エアフィルタ３１が取り外されていると判定することができる。一方、制御部５１は、風量センサ４０の出力が初期出力Ａ１〜Ａ５以上であれば、プロジェクタ１にエアフィルタ３１が取り付けられていると判定することができる。このような判定を行うために、記憶部５２には、エアフィルタ３１が取り外されたときの風量センサ４０の出力であるフィルタ非装着時風量として、下限出力Ｂ１〜Ｂ５が予め記憶されている。下限出力Ｂ１〜Ｂ５は、実験により得ることができる。
【００４７】
エアフィルタ３１に所定量の塵埃が付着したときの風量センサ４０の出力について説明する。
エアフィルタ３１に付着している塵埃の量が多くなるにつれて、筐体１０の内部に吸入された空気の流量は小さくなる。筐体１０の外部から内部に流入する空気の流量が小さくなるにつれて、風量センサ４０及び貫通孔３２Ａを通して第１空間Ｓ１から第２空間Ｓ２に吸い込まれる空気の流量は大きくなる。従って、風量センサ４０の出力は、エアフィルタ３１に付着している塵埃の量を反映する。
【００４８】
図４の第１上限出力Ｃ１、第２上限出力Ｃ２、第３上限出力Ｃ３、第４上限出力Ｃ４、及び第５上限出力Ｃ５は、エアフィルタ３１に所定量の塵埃が付着したときの風量センサ４０の出力を示している。第１上限出力Ｃ１は、冷却ファン３３の回転数が第１回転数Ｒ１であるときの風量センサ４０の出力を示す。また、第２上限出力Ｃ２は、冷却ファン３３の回転数が第２回転数Ｒ２であるときの風量センサ４０の出力を示す。また、第３上限出力Ｃ３は、冷却ファン３３の回転数が第３回転数Ｒ３であるときの風量センサ４０の出力を示す。また、第４上限出力Ｃ４は、冷却ファン３３の回転数が第４回転数Ｒ４であるときの風量センサ４０の出力を示す。また、第５上限出力Ｃ５は、冷却ファン３３の回転数が第５回転数Ｒ５であるときの風量センサ４０の出力を示す。
【００４９】
従って、制御部５１は、風量センサ４０の出力が上限出力Ｃ１〜Ｃ５以上であれば、エアフィルタ３１に所定量以上の塵埃が付着していると判定することができる。一方、制御部５１は、風量センサ４０の出力が初期出力Ａ１〜Ａ５以上、かつ、上限出力Ｃ１〜Ｃ５未満であれば、エアフィルタ３１に所定量以上の塵埃が付着していないと判定することができる。このような判定を行うために、記憶部５２には、エアフィルタ３１に所定量の塵埃が付着したときの風量センサ４０の出力であるフィルタ目詰まり時風量として、上限出力Ｃ１〜Ｃ５が予め記憶されている。上限出力Ｃ１〜Ｃ５は、実験により得ることができる。
【００５０】
以上のように、風量センサ４０は、貫通孔３２Ａにおける風量を検出することにより、筐体１０の内部に吸入された空気の流量を間接的に検出する。制御部５１は、風量センサ４０の出力に基づいて、吸気口１２に対してエアフィルタ３１が装着されているか否かを判定し、また、エアフィルタ３１が装着されているときにはエアフィルタ３１に付着している塵埃の量を判定する。
【００５１】
図５を参照して、制御部５１が実行するフィルタ異常検知処理の流れを説明する。フィルタ異常検知処理は、プロジェクタ１の映像の表示開始時に実行され、また、映像の表示時において周期的に実行される。
【００５２】
まず、制御部５１は、冷却ファン３３の動作状態を検出して、冷却ファン３３の回転数の情報を取得する（ステップＳ１）。なお、「冷却ファン３３の回転数」とは、所定時間当たりの回転数であって、冷却ファン３３の回転速度である。
【００５３】
次いで、制御部５１は、ステップＳ１で取得した冷却ファン３３の回転数に基づいて、記憶部５２から、冷却ファン３３の回転数に応じたエアフィルタ非装着時の吸気量の情報を取得する（ステップＳ２）。例えば、冷却ファン３３の回転数が第１回転数Ｒ１であれば、制御部５１は、第１回転数Ｒ１に応じたエアフィルタ非装着時の吸気量の情報として、第１下限出力Ｂ１を記憶部５２から取得する。即ち、制御部５１は、エアフィルタ３１が取り外されたときの風量センサ４０の出力を取得する。
【００５４】
次いで、制御部５１は、ダクト３２内への吸気量の情報を風量センサ４０から取得する（ステップＳ３）。即ち、制御部５１は、風量センサ４０の出力を取得する。
次いで、制御部５１は、ダクト３２内への吸気量が、エアフィルタ非装着時の吸気量であるか否かを判定する（ステップＳ４）。本実施形態においては、制御部５１は、ステップ３で取得した風量センサ４０の出力が、ステップＳ２で取得したエアフィルタ３１が取り外されたときの風量センサ４０の出力以下であるか否かを判定する。制御部５１は、ステップ３で取得した風量センサ４０の出力が、ステップＳ２で取得したエアフィルタ３１が取り外されたときの風量センサ４０の出力以下であると判定したとき、ダクト３２内への吸気量が、エアフィルタ非装着時の吸気量であると判定する。
【００５５】
制御部５１は、ダクト３２内への吸気量がエアフィルタ非装着時の吸気量であるとステップＳ４で判定したとき、吸気口１２に対してエアフィルタ３１が装着されていないと判定して、報知部２２を動作させる（ステップＳ５）。こうして、報知部２２は、報知動作を行って、吸気口１２に対してエアフィルタ３１が装着されていないことを報知する。
【００５６】
一方、制御部５１は、ダクト３２内への吸気量がエアフィルタ非装着時の吸気量でないとステップＳ４で判定したとき、吸気口１２に対してエアフィルタ３１が装着されていると判定する。本実施形態においては、制御部５１は、ステップ３で取得した風量センサ４０の出力が、ステップＳ２で取得したエアフィルタ３１が取り外されたときの風量センサ４０の出力よりも大きいと判定したとき、ダクト３２内への吸気量がエアフィルタ非装着時の吸気量でないと判定する。
【００５７】
吸気口１２に対してエアフィルタ３１が装着されていると判定されたとき、制御部５１は、ステップＳ１で取得した冷却ファン３３の回転数に基づいて、記憶部５２から、冷却ファン３３の回転数に応じた目詰まり判定吸気量の情報を取得する（ステップＳ６）。例えば、冷却ファン３３の回転数が第１回転数Ｒ１であれば、制御部５１は、第１回転数Ｒ１に応じた目詰まり判定吸気量の情報として、第１上限出力Ｃ１を記憶部５２から取得する。即ち、制御部５１は、エアフィルタ３１に所定量の塵埃が付着したときの風量センサ４０の出力を取得する。
【００５８】
次いで、制御部５１は、ダクト３２内への吸気量が目詰まり判定吸気量であるか否かを判定する（ステップＳ７）。本実施形態においては、制御部５１は、ステップ３で取得した風量センサ４０の出力が、ステップＳ６で取得したエアフィルタ３１に所定量の塵埃が付着したときの風量センサ４０の出力以上であるか否かを判定する。制御部５１は、ステップ３で取得した風量センサ４０の出力が、ステップＳ６で取得したエアフィルタ３１に所定量の塵埃が付着したときの風量センサ４０の出力以上であると判定したとき、ダクト３２内への吸気量が目詰まり判定吸気量であると判定する。
【００５９】
制御部５１は、ダクト３２内への吸気量が目詰まり判定吸気量であるとステップＳ７で判定したとき、エアフィルタ３１に付着している塵埃が所定量以上であると判定して、報知部２２を動作させる（ステップＳ５）。こうして、報知部２２は、報知動作を行って、エアフィルタ３１に付着している塵埃の量が所定量以上であることを報知する。
【００６０】
本発明のプロジェクタ１の動作について説明する。
例えば、冷却ファン３３の回転数が第１回転数Ｒ１であるときに、風量センサ４０の出力が、第１下限出力Ｂ１よりも大きく、かつ、第１上限出力Ｃ１未満である場合には、制御部５１は、吸気口１２に対してエアフィルタ３１が装着され、エアフィルタ３１に付着している塵埃の量が所定量未満であると判定する。このとき、報知部２２は報知動作を行わない。
【００６１】
一方、例えば、冷却ファン３３の回転数が第１回転数Ｒ１であるときに、風量センサ４０の出力が第１下限出力Ｂ１以下である場合には、制御部５１は、吸気口１２に対してエアフィルタ３１が装着されていないと判定する。このとき、報知部２２は、報知動作を行う。また、例えば、冷却ファン３３の回転数が第１回転数Ｒ１であるときに、風量センサ４０の出力が第１上限出力Ｃ１以上である場合には、制御部５１は、エアフィルタ３１に付着している塵埃の量が、所定量以上であると判定する。このとき、報知部２２は報知動作を行う。
【００６２】
本実施形態のプロジェクタ１は以下の効果を奏する。
（１）プロジェクタ１は、筐体１０の内部に吸入された空気の流量を検出するための風量センサ４０と、吸気口１２からエアフィルタ３１が取り外されたときの風量センサ４０の出力を、フィルタ非装着時風量として記憶する記憶部５２とを備える。さらに、プロジェクタ１は、風量センサ４０の出力と、記憶部５２に記憶されているフィルタ非装着時風量との比較結果に基づいて、吸気口１２に対してエアフィルタ３１が装着されているか否かを判定する制御部５１を備える。このため、吸気口１２からエアフィルタ３１が取り外されたときの風量センサ４０の出力を、フィルタ非装着時風量として記憶部５２に予め記憶させておくことにより、風量センサ４０の出力に基づいてエアフィルタ３１が装着されているか否かを判定することができる。よって、エアフィルタ３１を透過する光量に基づいてエアフィルタ３１が装着されているか否かを判定する構成を採用することなく、風量センサ４０の出力に基づいてエアフィルタ３１が装着されているか否かを判定することができる。
【００６３】
（２）制御部５１は、冷却ファン３３の回転数の情報を取得し、風量センサ４０の出力と、冷却ファン３３の回転数に応じて変化するフィルタ非装着時風量との比較結果に基づいて、吸気口１２に対してエアフィルタ３１が装着されているか否かを判定する。このため、フィルタ非装着時風量を一定として風量センサ４０の出力とフィルタ非装着時風量とを比較する場合に比べて、エアフィルタ３１が装着されているか否かを精度良く判定することができる。
【００６４】
（３）プロジェクタ１は、吸気口１２に対してエアフィルタ３１が装着されているか否かを判定する際に、冷却ファン３３の回転数を上げる制御部５１を備える。このため、風量センサ４０の出力に基づいてエアフィルタ３１が装着されているか否かを判定するときに冷却ファン３３が高回転となるため、冷却ファン３３の回転数が一定である場合に比べて、エアフィルタ３１が装着されているか否かを精度良く判定することができる。
【００６５】
（４）プロジェクタ１は、エアフィルタ３１が装着されていないときに報知動作を行う報知部２２を備え、報知部２２は、吸気口１２に対してエアフィルタ３１が装着されていないと制御部５１が判定したときに報知動作を行う。このため、吸気口１２に対してエアフィルタ３１が装着されていないと制御部５１が判定したことを、報知部２２の報知動作により、プロジェクタ１のユーザーが把握することができる。
【００６６】
（５）記憶部５２は、エアフィルタ３１に所定量の塵埃が付着したときの風量センサ４０の出力を、フィルタ目詰まり時風量として記憶し、制御部５１は、風量センサ４０の出力と、記憶部５２に記憶されているフィルタ目詰まり時風量との比較結果に基づいて、エアフィルタ３１に付着している塵埃の量を判定する。このため、エアフィルタ３１に所定量の塵埃が付着したときの風量センサ４０の出力を、フィルタ目詰まり時風量として記憶部に予め記憶させておくことにより、風量センサ４０の出力に基づいてエアフィルタ３１に付着している塵埃の量を判定することができる。よって、エアフィルタ３１が装着されているか否かを判定するために利用する風量センサ４０を、エアフィルタ３１の目詰まりの度合いを判定するために利用することができる。
【００６７】
（６）プロジェクタ１は、エアフィルタ３１に目詰まりが生じたときに報知動作を行う報知部２２を備え、報知部２２は、エアフィルタ３１に付着している塵埃の量が所定量以上であると制御部５１が判定したときに報知動作を行う。このため、エアフィルタ３１に付着している塵埃の量が所定量以上であると制御部５１が判定したことを、報知部２２の報知動作により、プロジェクタ１のユーザーが把握することができる。
【００６８】
（第２実施形態）
次に、本発明の第２実施形態を説明する。なお、本実施形態においては、上記第１実施形態と同様の構成については、その説明を省略または簡略化する。
【００６９】
本実施形態においては、フィルタ異常検知処理が、上記第１実施形態と異なる。図６を参照して、制御部５１が実行する本実施形態のフィルタ異常検知処理の流れを説明する。なお、本実施形態におけるフィルタ異常検知処理は、映像の表示開始時に実行される。即ち、映像表示用の光源（不図示）への電力の供給開始時に実行される。
【００７０】
まず、制御部５１は、冷却ファン３３を高回転で動作させる（ステップＳ１１）。即ち、制御部５１は、冷却ファン３３の回転数を上げる。冷却ファン３３が高回転であるときは、冷却ファン３３が低回転であるときに比べて、エアフィルタ３１が装着されているか否かが風量センサ４０の出力に反映され易くなる。
【００７１】
次いで、制御部５１は、冷却ファン３３の回転数に基づいて、記憶部５２から、冷却ファン３３の回転数に応じたエアフィルタ非装着時の吸気量の情報を取得する（ステップＳ１２）。例えば、冷却ファン３３の回転数が第５回転数Ｒ５であれば、制御部５１は、第５回転数Ｒ５に応じたエアフィルタ非装着時の吸気量の情報として、第５下限出力Ｂ５を記憶部５２から取得する。
【００７２】
次いで、制御部５１は、第１実施形態のステップＳ３と同様に、ダクト３２内への吸気量の情報を風量センサ４０から取得する（ステップＳ１３）。
次いで、制御部５１は、第１実施形態のステップＳ４と同様に、ダクト３２内への吸気量が、エアフィルタ非装着時の吸気量であるか否かを判定する（ステップＳ１４）。
【００７３】
制御部５１は、ダクト３２内への吸気量がエアフィルタ非装着時の吸気量であるとステップＳ１４で判定したとき、第１実施形態のステップＳ５と同様に、報知部２２を動作させる（ステップＳ１５）。そして、制御部５１は、冷却ファン３３を低回転で動作させる（ステップＳ１６）。即ち、制御部５１は、冷却ファン３３の回転数を下げる。
【００７４】
一方、制御部５１は、ダクト３２内への吸気量がエアフィルタ非装着時の吸気量でないとステップＳ１４で判定したとき、吸気口１２に対してエアフィルタ３１が装着されていると判定する。第１実施形態と同様に、制御部５１は、ステップ１３で取得した風量センサ４０の出力が、ステップＳ１２で取得したエアフィルタ３１が取り外されたときの風量センサ４０の出力よりも大きいと判定したとき、ダクト３２内への吸気量がエアフィルタ非装着時の吸気量でないと判定する。
【００７５】
吸気口１２に対してエアフィルタ３１が装着されていると判定されたとき、制御部５１は、高回転の冷却ファン３３の回転数に基づいて、記憶部５２から、冷却ファン３３の回転数に応じた目詰まり判定吸気量の情報を取得する（ステップＳ１７）。例えば、冷却ファン３３の回転数が第５回転数Ｒ５であれば、制御部５１は、第５回転数Ｒ５に応じた目詰まり判定吸気量の情報として、第５上限出力Ｃ５を記憶部５２から取得する。
【００７６】
次いで、制御部５１は、第１実施形態のステップＳ７と同様に、ダクト３２内への吸気量が目詰まり判定吸気量であるか否かを判定する（ステップＳ１８）。本実施形態においては、制御部５１は、ステップ１３で取得した風量センサ４０の出力が、ステップＳ１７で取得したエアフィルタ３１に所定量の塵埃が付着したときの風量センサ４０の出力以上であるか否かを判定する。制御部５１は、ステップ１３で取得した風量センサ４０の出力が、ステップＳ１７で取得したエアフィルタ３１に所定量の塵埃が付着したときの風量センサ４０の出力以上であると判定したとき、ダクト３２内への吸気量が、目詰まり判定吸気量であると判定する。
【００７７】
制御部５１は、ダクト３２内への吸気量が目詰まり判定吸気量であるとステップＳ１８で判定したとき、エアフィルタ３１に付着している塵埃が所定量以上であると判定して、報知部２２を動作させる（ステップＳ１５）。そして、制御部５１は、冷却ファン３３を低回転で動作させる（ステップＳ１６）。
【００７８】
一方、ダクト３２内への吸気量が目詰まり判定吸気量でないと判定されたとき、制御部５１は、報知部２２を動作させることなく、冷却ファン３３を低回転で動作させる（ステップＳ１６）。
【００７９】
本実施形態のプロジェクタ１は、上記（１）〜（６）の効果に加えて、以下の効果を奏する。
（７）映像の表示開始時において、制御部５１が冷却ファン３３の回転数を上げて、制御部５１が吸気口１２に対してエアフィルタ３１が装着されているか否かを判定し、制御部５１は、吸気口１２に対してエアフィルタ３１が装着されているか否かを判定した後に、冷却ファン３３の回転数を下げる。このような構成によれば、映像の表示開始時においては冷却ファン３３が高回転となるため、冷却ファン３３の回転数が一定である場合に比べて、エアフィルタ３１が装着されているか否かを精度良く判定することができる。また、エアフィルタ３１が装着されているか否かが判定された後には冷却ファン３３が低回転となるため、映像の表示開始後において冷却ファン３３の回転数が一定である場合に比べて、冷却ファン３３の騒音を低減することが可能である。
【００８０】
（第３実施形態）
次に、本発明の第３実施形態を説明する。なお、本実施形態においては、上記実施形態と同様の構成については、その説明を省略または簡略化する。
【００８１】
制御部５１は、風量センサ４０の出力に誤差が生じるときには、エアフィルタ３１が装着されているか否かを精度良く判定できない。エアフィルタ３１が装着されているか否かを精度良く判定するためには、冷却ファン３３が高回転であることが好ましい。一方、冷却ファン３３の騒音を低減するためには、冷却ファン３３が低回転であることが好ましい。よって、本実施形態のフィルタ異常検知処理において、制御部５１は、風量センサ４０の出力に基づいて、冷却ファン３３の回転数を制御して、エアフィルタ３１が装着されているか否かを精度良く判定できないときに、冷却ファン３３の回転数を上げる。
【００８２】
エアフィルタ３１が装着されているか否かが精度良く判定できない際の風量センサ４０の出力について説明する。
風量センサ４０の出力に誤差が生じるときに、風量センサ４０の出力が、下限出力Ｂ１〜Ｂ５よりも大きく、かつ、初期出力Ａ１〜Ａ５未満となるおそれがある。
【００８３】
図７の第１中間出力Ｄ１は、第１下限出力Ｂ１と第１初期出力Ａ１の間の出力である。また、第２中間出力Ｄ２は、第２下限出力Ｂ２と第２初期出力Ａ２の間の出力である。また、第３中間出力Ｄ３は、第３下限出力Ｂ３と第３初期出力Ａ３の間の出力である。また、第４中間出力Ｄ４は、第４下限出力Ｂ４と第４初期出力Ａ４の間の出力である。また、第５中間出力Ｄ５は、第５下限出力Ｂ５と第５初期出力Ａ５の間の出力である。
【００８４】
制御部５１は、風量センサ４０の出力が中間出力Ｄ１〜Ｄ５以下であれば、エアフィルタ３１が装着されているか否かを精度良く判定できないと判定して、冷却ファン３３の回転数を上げた後に、風量センサ４０の出力に基づいて、吸気口１２に対してエアフィルタ３１が装着されているか否かを判定する。このような判定を行うために、記憶部５２には、中間出力Ｄ１〜Ｄ５が予め記憶されている。
【００８５】
図８を参照して、制御部５１が実行する本実施形態のフィルタ異常検知処理の流れを説明する。なお、本実施形態におけるフィルタ異常検知処理は、映像の表示開始時に実行され、また、映像の表示時において周期的に実行される。
【００８６】
まず、制御部５１は、冷却ファン３３を低回転で動作させる（ステップＳ２１）。
次いで、制御部５１は、冷却ファン３３の回転数に基づいて、記憶部５２から、低回転の冷却ファン３３の回転数に応じた誤差発生吸気量の情報を取得する（ステップＳ２２）。例えば、冷却ファン３３の回転数が第１回転数Ｒ１であれば、制御部５１は、第１回転数Ｒ１に応じた誤差発生吸気量の情報として、第１中間出力Ｄ１を記憶部５２から取得する。
【００８７】
次いで、制御部５１は、第１実施形態のステップＳ３と同様に、ダクト３２内への吸気量の情報を風量センサ４０から取得する（ステップＳ２３）。
次いで、制御部５１は、ダクト３２内への吸気量が、誤差発生吸気量であるか否かを判定する（ステップＳ２４）。本実施形態においては、制御部５１は、ステップ２３で取得した風量センサ４０の出力が、ステップＳ２２で取得した中間出力以下であるか否かを判定する。制御部５１は、ステップ２３で取得した風量センサ４０の出力が、ステップＳ２で取得した中間出力以下であると判定したとき、ダクト３２内への吸気量が、誤差発生吸気量であると判定する。
【００８８】
制御部５１は、ダクト３２内への吸気量が誤差発生吸気量であるとステップＳ２４で判定したとき、冷却ファン３３を高回転で動作させる（ステップＳ２５）。即ち、制御部５１は、冷却ファン３３の回転数を上げる。そして、以下のステップＳ２６〜２８の処理を実行する。
【００８９】
制御部５１は、冷却ファン３３の回転数に基づいて、記憶部５２から、高回転の冷却ファン３３の回転数に応じたエアフィルタ非装着時の吸気量の情報を取得する（ステップＳ２６）。例えば、冷却ファン３３の回転数が第３回転数Ｒ３であれば、制御部５１は、第３回転数Ｒ３に応じたエアフィルタ非装着時の吸気量の情報として、第３下限出力Ｂ３を記憶部５２から取得する。
【００９０】
次いで、制御部５１は、第１実施形態のステップＳ３と同様に、ダクト３２内への吸気量の情報を風量センサ４０から取得する（ステップＳ２７）。
次いで、制御部５１は、第１実施形態のステップＳ４と同様に、ダクト３２内への吸気量が、エアフィルタ非装着時の吸気量であるか否かを判定する（ステップＳ２８）。
【００９１】
制御部５１は、ダクト３２内への吸気量がエアフィルタ非装着時の吸気量であるとステップＳ２８で判定したとき、第１実施形態のステップＳ５と同様に、報知部２２を動作させる（ステップＳ２９）。そして、制御部５１は、冷却ファン３３を低回転で動作させる（ステップＳ３０）。
【００９２】
一方、ダクト３２内への吸気量が誤差発生吸気量でないとステップＳ２４で判定されたとき、制御部５１は、冷却ファン３３を高回転で動作させることなく、第１実施形態のステップＳ７と同様に、記憶部５２から、低回転の冷却ファン３３の回転数に応じた目詰まり判定吸気量の情報を取得する（ステップＳ３１）。
【００９３】
次いで、制御部５１は、第１実施形態のステップＳ７と同様に、ダクト３２内への吸気量が目詰まり判定吸気量であるか否かを判定する（ステップＳ３２）。本実施形態においては、制御部５１は、ステップ２３で取得した風量センサ４０の出力が、ステップＳ３１で取得したエアフィルタ３１に所定量の塵埃が付着したときの風量センサ４０の出力以上であるか否かを判定する。制御部５１は、ステップ２３で取得した風量センサ４０の出力が、ステップＳ３１で取得したエアフィルタ３１に所定量の塵埃が付着したときの風量センサ４０の出力以上であると判定したとき、ダクト３２内への吸気量が、目詰まり判定吸気量であると判定する。
【００９４】
制御部５１は、ダクト３２内への吸気量が目詰まり判定吸気量であるとステップＳ３２で判定したとき、エアフィルタ３１に付着している塵埃が所定量以上であると判定して、報知部２２を動作させる（ステップＳ３３）。
【００９５】
本実施形態のプロジェクタ１は、上記（１）〜（６）の効果に加えて、以下の効果を奏する。
（８）制御部５１は、風量センサ４０の出力に基づいて、冷却ファン３３の回転数を上げる。このような構成によれば、風量センサ４０の出力に基づいてエアフィルタ３１が装着されているか否かを精度良く判定できないときに、冷却ファン３３の回転数を上げて、エアフィルタ３１が装着されているか否かを精度良く判定することができる。また、エアフィルタ３１が装着されているか否かを判定する際に必ず冷却ファン３３の回転数を上げる場合と比べて、冷却ファン３３の騒音を低減することができる。
【００９６】
なお、本発明は、上記実施形態に限られず、本発明の趣旨に基づいて種々の設計変更を行うことが可能であって、それらを本発明の範囲から除外するものではない。例えば、上記実施形態を以下のように変更してもよく、以下の変更を組み合わせて実施してもよい。
【００９７】
・上記第３実施形態において、制御部５１は、誤差発生吸気量の情報として、中間出力Ｄ１〜Ｄ５を取得する構成であるが、誤差発生吸気量の情報として、初期出力Ａ１〜Ａ５を取得することもできる。この場合、制御部５１は、風量センサ４０の出力が、初期出力以下であるか否かを判定して、風量センサ４０の出力が初期出力以下であると判定したとき、ダクト３２内への吸気量が誤差発生吸気量であると判定する。即ち、誤記発生吸気量の情報を適宜変更することもできる。
【００９８】
・上記実施形態の報知部２２は、エアフィルタ３１に目詰まりが生じたときに報知動作を行うフィルタ目詰まり報知部と、エアフィルタ３１が装着されていないときに報知動作を行うフィルタ非装着報知部とを兼ねているが、フィルタ目詰まり報知部とフィルタ非装着報知部とを、それぞれ異なる報知部により構成することもできる。
【００９９】
・上記実施形態の報知部２２は、発光することにより報知動作を行うが、発光以外の手段により報知動作を行うこともできる。例えば、報知部２２が、音声を出力する小型スピーカにより構成することもできる。
【０１００】
・上記実施形態の風量センサ４０は、ダクト３２に取り付けられているが、筐体１０の内部に吸入された空気の流量を検出することができるのであれば、風量センサ４０の配置を適宜変更してもよい。
【０１０１】
・上記実施形態の風量センサ４０は、貫通孔３２Ａにおける風量を、サーモパイルが出力する電圧を、貫通孔３２Ａにおける風量として検出する構成であるが、これ以外の方法により空気の流量を検出する風量センサを用いることもできる。即ち、風量センサ４０はヒータとサーモパイルとを有する微細な機械構造を含む集積回路であるが、これ以外の構成を有する風量センサを用いることもできる。また、所定時間当たりの空気の流量を検出する風量センサを用いることもできる。このような風量センサは、所定時間当たりの空気の流量が風速を示すため、風速センサと一般的によばれている。
【符号の説明】
【０１０２】
１…ビデオプロジェクタ（投写型映像表示装置）、１０…筐体、１１…開口、１２…吸気口、１３…格子部材、２１…投射レンズ、２２…報知部（フィルタ非装着報知部、フィルタ目詰まり報知部）、３１…エアフィルタ、３２…ダクト、３２Ａ…貫通孔、３２Ｂ…センサ取付部、３３…冷却ファン（ファン）、４０…風量センサ、４１…流入口、４２…流出口、５１…制御部（判定部）、５２…記憶部、Ｓ１…第１空間、Ｓ２…第２空間。
【図１】
2013127572.tif 000003
【図２】
2013127572.tif 000004
【図３】
2013127572.tif 000005
【図４】
2013127572.tif 000006
【図５】
2013127572.tif 000007
【図６】
2013127572.tif 000008
【図７】
2013127572.tif 000009
【図８】
2013127572.tif 000010